(57)【特許請求の範囲】
【請求項１】
湾曲した曲面部を有するカバー部材と、
前記曲面部に沿って湾曲した状態で前記曲面部に接着された表示パネルと、
前記表示パネルの外周全体を囲んで前記曲面部に接着されたフロントフレームと、
前記フロントフレームに嵌め込まれて前記表示パネルと間隔をおいた状態で対向配置されるとともに、前記フロントフレームの内壁面の一部との間に隙間を有するバックライトと、
第一の端部が前記表示パネルと電気的に接続され、第二の端部が前記隙間を通って、前記フロントフレームに囲まれた空間の外側に引き出されたフレキシブルプリント回路基板と、
を有し、
前記バックライトは、前記曲面部に沿って湾曲する導光体と、前記曲面部に沿って湾曲した底板部を有し前記導光体が湾曲した状態で前記底板部に支持される第１のフレームと、前記第１のフレームの外周側に配置され前記第１のフレームが固定される第２のフレームと、を含む
表示装置。
【請求項２】
前記フロントフレームの内壁面には、前記隙間に位置する前記フレキシブルプリント回路基板の少なくとも一部を前記フロントフレームの内壁面上に固定する固定部材が設けられている
請求項１に記載の表示装置。
【請求項３】
前記固定部材は、前記フロントフレームの内壁面に接着された両面テープである
請求項２に記載の表示装置。
【請求項４】
前記曲面部と接着される前記フロントフレームの上端面は、前記曲面部の曲面形状に対応した曲面形状を有する
請求項１ないし３のいずれか１項に記載の表示装置。
【請求項５】
前記フロントフレームには、前記バックライトを前記表示パネルから離間した位置に位置決めする爪部が設けられている
請求項１ないし４のいずれか１項に記載の表示装置。
【請求項６】
前記表示パネルは、第一の基板と、前記第一の基板と対向する第二の基板と、を有し、
前記第一の基板および前記第二の基板は、それぞれ５０μｍ〜２００μｍの厚みを有するガラス基板である
請求項１ないし５のいずれか１項に記載の表示装置。
【請求項７】
湾曲した曲面部を有するカバー部材と、
前記曲面部に沿って湾曲した状態で前記曲面部に接着された表示パネルと、
前記表示パネルの外周全体を囲んで前記曲面部に接着されたフロントフレームと、
前記フロントフレームに嵌め込まれて前記表示パネルと間隔をおいた状態で対向配置されるとともに、前記フロントフレームの内壁面の一部との間に隙間を有するバックライトと、
第一の端部が前記表示パネルと電気的に接続され、第二の端部が前記隙間を通って、前記フロントフレームに囲まれた空間の外側に引き出されたフレキシブルプリント回路基板と、
を有し、
前記バックライトは、前記曲面部に沿って湾曲する導光体と、前記曲面部に沿って湾曲した底板部を有し前記導光体が湾曲した状態で前記底板部に支持される第１のフレームと、前記第１のフレームの外周側に配置され前記第１のフレームが固定される第２のフレームと、を含み、
前記フレキシブルプリント回路基板の前記第二の端部が他の電子部品に電気的に接続される
電子部品。
【発明の詳細な説明】
【技術分野】
【０００１】
本発明は、表示装置及び電子部品に関する。
【背景技術】
【０００２】
表示パネルを湾曲させた表示装置が知られている（例えば、特許文献１）。この種の表示装置は、曲面ディスプレイと呼ばれる。表示パネルは、薄いフィルム状の基板を用いて作製される。表示パネルは、表示面を保護するための湾曲したカバー部材に接着される。表示パネルが、湾曲したカバー部材に接着されることで、曲面表示が実現される。
【先行技術文献】
【特許文献】
【０００３】
【特許文献１】特開２００９−８６５６０号公報
【発明の概要】
【発明が解決しようとする課題】
【０００４】
表示パネルは、カバー部材に接着された状態でバックライトに固定される。バックライトは、表示パネルを囲む位置でカバー部材に接着される。接着層には、フレキシブルプリント回路基板（以下、「ＦＰＣ」と略記することがある）を外部に引き出すための開口部が設けられる。しかし、接着層に開口部を設けると、開口部を介して外部から異物が混入したり、バックライトの光が外部に漏れだしたりする可能性がある。また、何らかの不良が発見された表示装置は解体作業（リワーク処理）に回されるが、カバー部材とバックライトとが強固に接着されていると解体作業が難しくなる。
【０００５】
本発明の目的は、カバー部材とバックライトとの間に異物が混入しにくく、解体作業も容易な表示装置及び電子部品を提供することにある。
【課題を解決するための手段】
【０００６】
本発明の一態様に係る表示装置は、湾曲した曲面部を有するカバー部材と、前記曲面部に沿って湾曲した状態で前記曲面部に接着された表示パネルと、前記表示パネルの外周全体を囲んで前記曲面部に接着されたフロントフレームと、前記フロントフレームに嵌め込まれて前記表示パネルと対向配置されるとともに、前記フロントフレームの内壁面の一部との間に隙間を有するバックライトと、第一の端部が前記表示パネルと電気的に接続され、第二の端部が前記隙間を通って、前記フロントフレームに囲まれた空間の外側に引き出されたフレキシブルプリント回路基板と、を有する。
【図面の簡単な説明】
【０００７】
【図１】図１は、実施形態に係る表示装置の断面図である。
【図２】図２は、実施形態に係る表示装置の断面図である。
【図３】図３は、バックライトとフロントフレームとの間の隙間の部分の拡大図である。
【図４】図４は、比較例に係る表示装置の断面図である。
【図５】図５は、比較例に係る表示装置の断面図である。
【発明を実施するための形態】
【０００８】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１および図２は、本発明の一実施形態に係る表示装置１００の断面図である。図１は、ＦＰＣ２６が設けられていない部分の表示装置１００の断面図である。図２は、ＦＰＣ２６が設けられている部分の表示装置１００の断面図である。図３は、表示装置１００のバックライト３８とフロントフレーム４０との間の隙間の部分を拡大して示す図である。
【００１０】
図１および図２に示すように、表示装置１００は、カバー部材１０と、表示パネル２０と、ＦＰＣ２６と、バックライト３８と、フロントフレーム４０と、を有する。
【００１１】
表示パネル２０は、第一の偏光板２１と、第一の基板２２と、第二の基板２３と、第二の偏光板２４と、を有する。第二の基板２３は第一の基板２２と対向して設けられている。第一の基板２２と第二の基板２３との間には液晶層（図示略）が設けられている。第一の偏光板２１は、第一の基板２２の第二の基板２３とは反対側の面に設けられている。第二の偏光板２４は、第二の基板２３の第一の基板２２とは反対側の面に設けられている。第一の基板２２は、第二の基板２３の外側に張り出す張り出し部２５を有する。張り出し部２５には端子部（図示略）が設けられており、端子部にＦＰＣ２６が電気的に接続されている。
【００１２】
バックライト３８は、導光体３０と、第一のフレーム３６と、第二のフレーム３７と、を有する。
【００１３】
導光体３０は、導光板３１と、反射シート３２と、第一の光学シート３３と、第二の光学シート３４と、第三の光学シート３５と、を有する。導光板３１の側面には、ＣＣＦＬ（Ｃｏｌｄ  Ｃａｔｈｏｄｅ  Ｆｌｕｏｒｅｓｃｅｎｔ  Ｌａｍｐ）やＬＥＤ（Ｌｉｇｈｔ  Ｅｍｉｔｔｉｎｇ  Ｄｉｏｄｅ）などの光源（図示略）が設けられている。導光板３１は、側面から入射した光を導光板全体に伝播させて導光板３１の上面から放射する。導光板３１の下面には、反射シート３２が設けられている。導光板３１の上面には、第一の光学シート３３、第二の光学シート３４および第三の光学シート３５が導光板３１側から順に設けられている。第一の光学シート３３、第二の光学シート３４および第三の光学シート３５は、導光板３１の上面から表示パネル２０に向けて放射された光の指向性を制御する。
【００１４】
第一のフレーム３６は、導光体３０の下面を支持する底板部３６ａと、導光体３０の側方を囲む第一の枠体３６ｂと、を有する。導光体３０は、底板部３６ａと第一の枠体３６ｂとにより囲まれた空間に収容される。第二のフレーム３７は、第一の枠体３６ｂの側方を囲む第二の枠体３７ａと、導光体３０の上面の縁部を覆うエッジカバー３７ｂと、を有する。第二のフレーム３７には、第一のフレーム３６が第二の枠体３７ａの内壁面に沿って嵌め込まれている。第一のフレーム３６と第二のフレーム３７とは、ネジ（図示略）で固定されている。
【００１５】
導光体３０の中央部はエッジカバー３７ｂから露出している。導光体３０の中央部から放射された光は、表示パネル２０に照射される。表示パネル２０は、導光体３０から照射された光を変調して画像を形成する。
【００１６】
表示パネル２０の表示面（バックライト３８側とは反対側の面）には、接着層１９を介してカバー部材１０が接着されている。カバー部材１０は、例えば、ガラス基板やプラスチック基板などの可視光を透過可能な透明基板である。カバー部材１０は、表示パネル２０で変調された光を透過する。カバー部材１０は、湾曲した曲面部１０ａを有する。表示パネル２０は、曲面部１０ａに沿って湾曲した状態で曲面部１０ａに接着されている。カバー部材１０は、表示パネル２０の表示面を保護するとともに、表示パネル２０を湾曲形状に保持する。
【００１７】
表示パネル２０を構成する部材は、曲面部１０ａの曲面形状に追従しやすいように薄型化されている。例えば、第一の基板２２および第二の基板２３は、それぞれ５０μｍ〜２００μｍの厚みを有するガラス基板である。
【００１８】
カバー部材１０の縁部には、接着層４５を介して筒状のフロントフレーム４０が接着されている。フロントフレーム４０は、表示パネル２０の外周全体を囲んで曲面部１０ａに接着されている。曲面部１０ａに接着されるフロントフレーム４０の上端面４０ｂは、曲面部１０ａの曲面形状に対応した曲面形状を有する。接着層４５は、閉じた環状に形成されており、上端面４０ｂと曲面部１０ａとの間には隙間は存在しない。
【００１９】
バックライト３８は、フロントフレーム４０に嵌め込まれて表示パネル２０と対向配置されている。フロントフレーム４０には、バックライト３８を表示パネル２０から離間した位置に位置決めする爪部４１が設けられている。第二のフレーム３７の上端面３７ｃが爪部４１に引っ掛かることで、バックライト３８の位置が固定される。フロントフレーム４０とバックライト３８とは、ネジによって固定されている。
【００２０】
図２および図３に示すように、バックライト３８は、フロントフレーム４０の内壁面４０ａの一部との間に隙間４３を有する。ＦＰＣ２６は、第一の端部が表示パネル２０と電気的に接続され、第二の端部が隙間４３を通って、フロントフレーム４０に囲まれた空間の外側に引き出されている。フロントフレーム４０の内壁面４０ａには、隙間４３に位置するＦＰＣ２６の少なくとも一部をフロントフレーム４０の内壁面４０ａ上に固定する固定部材４２が設けられている。固定部材４２は、例えば、フロントフレーム４０の内壁面４０ａに接着された両面テープである。バックライト３８は、ＦＰＣ２６が固定部材４２によって内壁面４０ａ上に固定された後、フロントフレーム４０に嵌め込まれる。
【００２１】
以上説明した表示装置１００の効果を、図４および図５に示す比較例の表示装置１０１と比較して説明する。図４は、ＦＰＣ２６が設けられていない部分の表示装置１０１の断面図である。図５は、ＦＰＣ２６が設けられている部分の表示装置１０１の断面図である。表示装置１０１において表示装置１００と共通する構成については、同じ符号を付す。
【００２２】
表示装置１０１は、カバー部材１０とバックライト３９とが、接着層４９によって固定されている点が、表示装置１００と異なる。バックライト３９は、表示パネル２０を囲む位置でカバー部材１０に接着されている。接着層４９には、ＦＰＣ２６を外部に引き出すための開口部が設けられており、この開口部によって、上端面３７ｃとカバー部材１０の曲面部との間に隙間４８が形成されている。よって、この隙間４８からカバー部材１０とバックライト３９との間に異物が混入する可能性がある。
【００２３】
一方、本実施形態の表示装置１００では、表示パネル２０およびバックライト３８の側方がフロントフレーム４０によって全周にわたって覆われる。フロントフレーム４０とカバー部材１０とを接着する接着層４５は、閉じた環状に形成されており、フロントフレーム４０の上端面４０ｂとカバー部材１０の曲面部１０ａとの間に隙間は存在しない。よって、カバー部材１０とバックライト３８との間に異物が混入する可能性が少ない。
【００２４】
また、表示装置１０１に何らかの不良が発見された場合には、解体作業（リワーク処理）が必要となるが、接着層４９でカバー部材１０とバックライト３９とが接着されていると解体作業が難しくなる。湾曲したカバー部材１０にバックライト３９を接着する場合には、接着作業が難しくなるため、接着不良の発生が多くなる。よって、解体作業の負担は大きくなる。
【００２５】
一方、本実施形態の表示装置１００では、バックライト３８はフロントフレーム４０に嵌め込まれてネジ止めされる。バックライト３８とカバー部材１０とは接着層によって接着されないので、解体作業は容易である。
【００２６】
また、表示装置１０１には、ＦＰＣ２６を固定する固定部材が存在しないため、バックライト３９をカバー部材１０に接着する際にＦＰＣ２６がバックライト３９と干渉する可能性がある。ＦＰＣ２６がバックライト３９と干渉すると、張り出し部２５に意図しない応力が付与され、張り出し部２５に破損が生じる可能性がある。また、ＦＰＣ２６の第二の端部を他の電子部品に電気的に接続する際に、張り出し部２５がＦＰＣ２６とともに引っ張られ、張り出し部２５に破損が生じる可能性がある。
【００２７】
一方、本実施形態の表示装置１００では、ＦＰＣ２６はフロントフレーム４０の内壁面４０ａ上に固定される。そのため、バックライト３８をフロントフレーム４０に嵌め込む際にＦＰＣ２６がカバー部材１０側に引き込まれる可能性が少ない。よって、張り出し部２５がＦＰＣ２６とともにカバー部材１０側に持ち上げられ、張り出し部２５に破損が生じる可能性が少ない。また、ＦＰＣ２６の第二の端部を他の電子部品に電気的に接続する際に、張り出し部２５がＦＰＣ２６とともに引っ張られ、張り出し部２５に破損が生じる可能性も少ない。
【符号の説明】
【００２８】
１０  カバー部材
１０ａ  曲面部
２０  表示パネル
２２  第一の基板
２３  第二の基板
２６  ＦＰＣ（フレキシブルプリント回路基板）
３８  バックライト
４０  フロントフレーム
４０ａ  フロントフレームの内壁面
４０ｂ  フロントフレームの上端面
４１  爪部
４２  固定部材
４３  隙間
１００  表示装置
【図１】
0006539067.tif 000002
【図２】
0006539067.tif 000003
【図３】
0006539067.tif 000004
【図４】
0006539067.tif 000005
【図５】
0006539067.tif 000006